(57)【要約】【課題】  通信に頼ることなく緊急車両の接近認知を問題なく実施でき、その接近に係る認知支援や運転誘導を的確に実施できる車両用緊急車両接近検出システムを提供する。【解決手段】  車両上の異なる位置にマイクロフォン１５を設置し、各マイクロフォン１５で抽出されるサイレン音の音量や位相の差に基づいて、緊急車両の接近方向を特定することにより、接近方向に応じた緊急車両の認知支援ないし運転支援を的確に行なうことができる。さらに、空中を伝播するサイレン音をマイクロフォンで直接捉えて接近方向検知するので、通信インフラ整備が不要であり、通信途絶等の影響を受けない車両用緊急車両接近検出システムを安価に構築できる。【選択図】    図１
2010067165.tif 000002
【特許請求の範囲】
【請求項１】
車両上の異なる位置に設けられ、前記緊急車両が発するサイレン音を各々検出する複数のマイクロフォンと、
それら複数のマイクロフォンによる前記サイレン音の検出状態に基づいて、前記緊急車両の接近方向を特定する緊急車両接近方向特定手段と、
特定された前記緊急車両の接近方向に応じた認知支援及び運転支援の少なくともいずれかにかかる対応出力を行なう対応出力手段と、
を有することを特徴とする車両用緊急車両接近検出システム。
【請求項２】
前記車両の運転者の視線方向を特定する視線方向特定手段と、
前記運転者の視線方向と前記緊急車両の接近方向との一致度を特定する一致度特定手段とを備え、
前記対応出力手段は、前記一致度が予め定められた許容範囲を逸脱することを条件として、前記緊急車両の接近に対する認知支援出力を行なう請求項１記載の車両用緊急車両接近検出システム。
【請求項３】
前記対応出力手段は、音声、光、画像、振動ないしそれらの２以上の組合せにより、前記緊急車両の接近を報知する出力を行なう請求項１又は請求項２に記載の車両用緊急車両接近検出システム。
【請求項４】
前記自車の走行路形状を推定する走行路形状推定手段と、
推定された前記走行路形状と前記緊急車両の接近方向とに応じて運転誘導内容を決定する運転誘導内容決定手段とを有し、
前記対応出力手段は、決定された前記運転誘導内容を出力するものである請求項１ないし請求項３のいずれか１項に記載の車両用緊急車両接近検出システム。
【請求項５】
前記走行路形状推定手段は、前記車両に搭載されたカーナビゲーションシステムから走行路形状情報を取得する請求項４記載の車両用緊急車両接近検出システム。
【請求項６】
前記走行路形状推定手段が前記カーナビゲーションシステムから取得する走行路形状情報は、前記カーナビゲーションシステムが地図上に特定する現在走行路に係る、車両現在位置よりも前方に位置する走行予定路の線形情報であり、
前記運転誘導内容決定手段は、前記走行予定路が道なり形状であるか交差点形状であるかを区別した形で前記運転誘導内容を決定する請求項５記載の車両用緊急車両接近検出システム。
【請求項７】
前記走行予定路の形状によらず、前記緊急車両の接近方向が自車後方であった場合に、前記運転誘導内容決定手段は、道路端寄せ又はレーン変更を前記運転誘導内容として決定する請求項６記載の車両用緊急車両接近検出システム。
【請求項８】
前記走行予定路が道なり形状であって、前記緊急車両の接近方向が自車前方であった場合に、前記運転誘導内容決定手段は徐行運転を前記運転誘導内容として決定する請求項６記載の車両用緊急車両接近検出システム。
【請求項９】
前記走行予定路が交差点形状であって、前記緊急車両の接近方向が自車横方向であった場合に、前記運転誘導内容決定手段は、前記交差点内への進入を制限する運転誘導内容を決定する請求項６記載の車両用緊急車両接近検出システム。
【請求項１０】
前記走行予定路が交差点形状であって、前記緊急車両の接近方向が自車前方であった場合に、前記運転誘導内容決定手段は、前記緊急車両が右折するか否かを推定するとともに、右折すると推定された場合に前記交差点内への進入を制限する運転誘導内容を決定する請求項６記載の車両用緊急車両接近検出システム。
【請求項１１】
前記運転誘導内容決定手段は、前記緊急車両が右折しないと推定された場合に、前記交差点内の徐行運転を運転誘導内容として決定する請求項６記載の車両用緊急車両接近検出システム。
【請求項１２】
前記運転誘導内容決定手段は、前記交差点手前での一旦停止を前記運転誘導内容として決定する請求項１０又は請求項１１に記載の車両用緊急車両接近検出システム。
【請求項１３】
前記運転誘導内容出力手段は、前記運転誘導内容を音声、画像又はそれらの組合せにより出力するものである請求項４ないし請求項１２のいずれか１項に記載の車両用緊急車両接近検出システム。
【請求項１４】
前記運転誘導内容決定手段が交差点内への進入を制限する運転誘導内容を決定した場合に、前記自車の走行を抑制する走行抑制手段が設けられている請求項４ないし請求項１３のいずれか１項に記載の車両用緊急車両接近検出システム。
【請求項１５】
前記自動車は、前記アクセルペダルの踏下位置を検出するアクセルペダル踏下位置検出手段と、検出された踏下位置に応じてエンジン出力を電子制御するエンジン出力制御手段とを備えた電子エンジン制御装置を有するものであり、
前記走行抑制手段は、前記アクセルペダルの踏下量に応じたエンジン出力を通常時よりも制限するエンジン出力制限手段を有する請求項１４記載の車両用緊急車両接近検出システム。
【請求項１６】
前記運転誘導内容決定手段が交差点内への進入を制限する運転誘導内容を決定した場合に、前記自動車の制動を支援する制動支援手段が設けられている請求項４ないし請求項１５のいずれか１項に記載の車両用緊急車両接近検出システム。
【請求項１７】
前記制動支援手段は、制動支援時において、前記ブレーキペダルの踏下反力を通常時よりも増加させる踏下反力制御手段と、前記ブレーキペダルの踏下量に対するブレーキ圧の増加率を通常時よりも増加させるブレーキ圧制御手段とを有する請求項１６に記載の車両用緊急車両接近検出システム。
【発明の詳細な説明】
【技術分野】
【０００１】
この発明は、車両用緊急車両接近検出システムに関する。
【背景技術】
【０００２】
【特許文献１】実開平６    −  ４４６４０号公報
【特許文献２】特開平６    −３２８９８０号公報
【特許文献３】特開２０００−１７２９８８号公報
【特許文献４】特開２００２−１１７４８４号公報
【特許文献５】特開２００５−１０００９７号公報
【特許文献６】特開２００８−  ５２３４１号公報
【特許文献７】特開平１１  −  ４８８８６号公報
【特許文献８】特開２００４−３５５２７２号公報
【特許文献９】特開２００４−１６８０８５号公報
【特許文献１０】特開２００４−  ４２７７７号公報
【特許文献１１】特開２００２−  ５９７９６号公報
【特許文献１２】特開２００５−    ９８８３号公報
【０００３】
消防車、救急車、パトカーなどの緊急車両は、道路交通法上その緊急走行時には優先走行権があり、一般車はこれを支援するため、緊急車両接近時には自車を路肩に寄せて徐行または停止して緊急車両に走行路を譲る義務がある。自動車の運転手は緊急車両の接近を、緊急車両の発するサイレン音や赤色灯の点燈により認知するが、この認知を支援するために種々の方式が提案されている（特許文献１〜８）。
【発明の開示】
【発明が解決しようとする課題】
【０００４】
ところで、上記先行技術においては、緊急車両の位置情報を車外情報源から無線取得し、緊急車両位置情報と自車の現在位置情報とに基づいて緊急車両の接近方向を特定する方式を採用していた。具体的には、ＶＩＣＳ等による緊急車両のＧＰＳ位置情報（特許文献３，５）、車車間通信（特許文献４，８）、交差点に設置された静止監視カメラからの緊急車両撮影情報（特許文献６）などを緊急車両の位置情報として無線取得し、これに基づいて自車に対する緊急車両の接近把握を行なうものである。無線通信が正常に実行でき、取得情報のリアルタイム性が担保されてさえいれば、緊急車両の接近方向に係る情報を比較的高精度に特定でき、緊急車両の接近認知支援や運転誘導を適切に実行できる。
【０００５】
しかしながら、上記方式の場合、緊急車両のＧＰＳ位置情報の無線配信が遅れたり、あるいは通信途絶が発生したり、無線配信の対象地域外を走行中の場合は、緊急車両の接近検知が実行できず、適切な接近認知支援や運転誘導が不能となる場合がある。また、緊急車両へのＧＰＳ搭載や、交差点等への緊急車両検出装置の配設、無線通信網の整備など、インフラ構築に多大なコストを要する問題もある。
【０００６】
本発明の課題は、通信に頼ることなく緊急車両の接近認知を問題なく実施でき、その接近に係る認知支援や運転誘導を的確に実施できる車両用緊急車両接近検出システムを提供することにある。
【課題を解決するための手段及び作用・効果】
【０００７】
上記の課題を解決するために、本発明の車両用緊急車両接近検出システムは、車両上の異なる位置に設けられ、緊急車両が発するサイレン音を各々検出する複数のマイクロフォンと、それら複数のマイクロフォンによるサイレン音の検出状態に基づいて、緊急車両の接近方向を特定する緊急車両接近方向特定手段と、特定された緊急車両の接近方向に応じた認知支援及び運転誘導の少なくともいずれかにかかる対応出力を行なう対応出力手段と、を有することを特徴とする。
【０００８】
緊急車両が発するサイレン音は出力音の種類や周波数帯が比較的限られており、マイクロフォンによる検出波形を周波数解析する周知の手法により、比較的簡単かつ正確に検出・特定することができる（特許文献１，７）。しかしながら、単一のマイクロフォンでは、検出されるサイレン音成分の音量により接近レベルは特定できても、接近方向の情報までは得ることができない。そこで、車両上の異なる位置にマイクロフォンを設置すれば、各マイクロフォンで抽出されるサイレン音の音量や位相の差に基づいて、緊急車両の接近方向を特定することが可能となり、ひいてはその接近方向に応じて認知支援ないし運転支援を的確に行なうことができる。さらに、空中を伝播するサイレン音をマイクロフォンで直接捉えて接近方向検知するので、通信インフラ整備が不要であり、通信途絶等の影響を受けない車両用緊急車両接近検出システムを安価に構築できる。
【０００９】
なお、車両上に設けられたカメラの撮影画像に基づいて緊急車両の接近方向を特定する方式では、緊急車両を正確に特定するためには、かなり複雑な画像解析を行なう必要があるし、例えばパトライトの点灯検出は緊急車両を特定する上で有効であるが、緊急車両以外のパトライトを誤認しやすい問題もある。従って、緊急車両の特定精度に関しては、上記複数のマイクロフォンによりサイレン音検出する方式を採用するほうがより有利であるといえる。なお、複数のマイクロフォンによりサイレン音検出する方式に、カメラの撮影画像に基づいて緊急車両の接近方向を特定する方式を補助的に組み合わせることで、緊急車両の接近方向の特定精度をさらに向上させることが可能である。また、  緊急車両の接近方向、距離、接近速度等に関する検出精度をさらに高めるために、従来のごとく、緊急車両の位置情報を車外情報源から無線取得する方式、例えば、ＶＩＣＳ等による緊急車両のＧＰＳ位置情報（特許文献３，５）、車車間通信（特許文献４，８）、交差点に設置された静止監視カメラからの緊急車両撮影情報（特許文献６）などを緊急車両の位置情報として無線取得し、これに基づいて自車に対する緊急車両の接近把握を行なう方式を、上記複数のマイクロフォンによりサイレン音検出する方式に組み合わせることも可能である。
【００１０】
上記本発明の車両用緊急車両接近検出システムは、車両の運転者の視線方向を特定する視線方向特定手段と、運転者の視線方向と緊急車両の接近方向との一致度を特定する一致度特定手段とを備え、対応出力手段は、一致度が予め定められた許容範囲を逸脱することを条件として、緊急車両の接近に対する認知支援出力を行なうように構成できる。この構成によると、運転者の視線方向が緊急車両の接近方向と一致していなければ、該緊急車両を認知できていない蓋然性が高く、この場合に支援出力を行なうことで緊急車両の接近を的確に認知させることができ、緊急車両の通行円滑化に寄与することができる。
【００１１】
対応出力手段は、具体的には、音声、光、画像、振動ないしそれらの２以上の組合せにより、緊急車両の接近を報知する出力を行なうものとして構成できる。例えば、音声出力の場合は音量を上げたり周波数レベルを上げた甲高い音声出力とし、光や画像の場合は輝度を上げたり点滅動作を加えるなど、さらには振動の場合は振動振幅を増加させるなど、聴覚的、視覚的ないし触覚的な刺激効果を高めた出力とすることが有効である。
【００１２】
次に、本発明の車両用緊急車両接近検出システムは、自車の走行路形状を推定する走行路形状推定手段と、推定された走行路形状と緊急車両の接近方向とに応じて運転誘導内容を決定する運転誘導内容決定手段とを有し、対応出力手段は、決定された運転誘導内容を出力するように構成できる。緊急車両に走行路を譲るためには、走行中の道路のどこで緊急車両と遭遇するか、具体的には緊急車両と遭遇したときの走行路形状がどのようなものであるかに応じて、走行路を譲るための適正な運転内容も変化する。しかし、熟練者を除けば、緊急車両と遭遇したときに咄嗟の運転対応をとれないこともありえる。そこで、推定された走行路形状と緊急車両の接近方向とに応じて（適切な）運転誘導内容を決定し、これを出力することで、熟練したドライバーでなくとも、緊急車両の通行を優先させるための、走行路形状に応じた最適の運転対応に適切に導くことができる。
【００１３】
走行路形状推定手段がカーナビゲーションシステムから取得する走行路形状情報は、具体的には、カーナビゲーションシステムが地図上に特定する現在走行路に係る、車両現在位置よりも前方に位置する走行予定路の線形情報とすることができる。運転誘導内容決定手段は、走行予定路が道なり形状であるか交差点形状であるかを区別した形で運転誘導内容を決定するように構成できる。道なり形状の場合は道路横方向（左右いずれか）から緊急車両が接近してくることはありえず、車々間通信やサイレン音による接近方向特定の誤差や、情報の配信遅れ等により横方向からの緊急車両接近を誤って検出してしまった場合にも、その可能性を排除することができる。他方、交差点形状であれば、該交差点にちょうど差し係るタイミングで、見通しの悪い左右（横）いずれかの方向から緊急車両が急接近してくることは逆に多々発生する可能性があり、接近方向特定手段により横方向からの緊急車両接近が特定された場合に、接近認知支援出力や運転誘導の処理強化を意識的に図ることが可能となる。
【００１４】
対応出力手段は、上記の運転誘導内容を音声、画像又はそれらの組合せにより出力するように構成することができる。特に、前方を注視している運転者に対しては、音声による運転誘導が有効であり、ヘッドアップディスプレイ等を利用した運転注視方向への画像出力（例えば「徐行」や「一旦停止」等の文字出力）を行なうことも、これに準じて有効である（もちろん、両者を組み合わせてもよい）。
【００１５】
以下、本発明にて採用可能な、具体的な運転誘導形態について説明する。
（１）緊急車両の接近方向が自車後方であった場合は、運転誘導内容決定手段は、道なり路及び交差点形状のいずれにおいても（つまり、走行予定路の形状によらず）、道路端寄せ（路片寄せ）又はレーン変更を運転誘導内容として決定する。これにより、後続の緊急車両に進路を譲ることができる。
【００１６】
（２）走行予定路が道なり形状であって、緊急車両の接近方向が自車前方であった場合に、運転誘導内容決定手段は徐行運転を運転誘導内容として決定する。追い越し等のために、緊急車両が自車レーン側にはみ出して走行してきた場合等においても、徐行誘導することで的確に対応することができる。
【００１７】
（３）走行予定路が交差点形状であって、緊急車両の接近方向が自車横方向であった場合に、運転誘導内容決定手段は、交差点内への進入を制限する運転誘導内容を決定する。交差点内には信号が赤であっても緊急車両が進入してくるため、当該交差点に向けて自車が進行中のとき、横方向から接近する緊急車両が検知された場合は、交差点内への進入を制限する誘導を行なうことで、緊急車両は交差点内へ円滑に進入することができる。
【００１８】
（４）走行予定路が交差点形状であって、緊急車両の接近方向が自車前方であった場合に、運転誘導内容決定手段は、緊急車両が右折するか否かを推定するとともに、右折すると推定された場合に交差点内への進入を制限する運転誘導内容を決定する。交差点を右折しようとする緊急車両は、交差点に入ってくる直進一般対向車に優先して右折することができる。従って、前方から接近する緊急車両が検出され、かつ、（例えば自車に搭載された前方撮影カメラにより対向車両のウインカー点灯を検出する等の公知の技術により）、該緊急車両の右折が検出された場合は、交差点内への進入を制限する誘導を行なうことで、緊急車両は交差点内を円滑に右折することができる。他方、緊急車両が右折しないと推定された場合には、運転誘導内容決定手段は、緊急車両の急な右折や右折待ちの一般車追い越し等に備えて、交差点内の徐行運転を運転誘導内容として決定するように構成しておくとよい。
【００１９】
なお、（３）、（４）いずれの場合も、交差点内への進入を制限する運転誘導内容は、交差点手前での一旦停止とすることが望ましい（ただし、一旦停止が困難な状況下では、交差点に進入してからの一旦停止誘導や、徐行誘導を行なうことももちろん可能である）。
【００２０】
また、運転誘導内容決定手段が交差点内への進入を制限する運転誘導内容を決定した場合に、自車の走行を抑制する走行抑制手段を設けておくと、緊急車両を優先させる状況下で交差点内に高速で進入してしまう不具合をより確実に予防することができる。特に、自動車に前述の電子エンジン制御装置が搭載されている場合、走行抑制手段は、アクセルペダルの踏下量に応じたエンジン出力を通常時よりも制限するエンジン出力制限手段を有するものとして構成できる。これにより、アクセルペダルを大きく踏み込んでもエンジン出力は通常時よりも小さくなり、加速が鈍るので上記不具合を効果的に抑制できる。
【００２１】
電子スロットル制御装置を搭載した自動車の場合、上記のエンジン出力制限手段は、アクセルペダルの踏下に応じたスロットルバルブの開度増加を通常時よりも制限するスロットルバルブ制限手段を有するものとして構成できる。また、電子燃焼噴射制御装置が搭載されている場合は、燃焼噴射を中断ないし抑制する燃焼噴射制限手段を有するものとして構成できる。
【００２２】
運転誘導内容決定手段が交差点内への進入を制限する運転誘導内容を決定した場合に、自動車の制動を支援する制動支援手段が設けておくこともできる。エンジン出力を制限しても、既に車速が一定以上に上がってしまった場合は、如何に制動を早く行なうかが緊急車両との干渉回避を行なう上での鍵となる。従って、上記のような制動支援手段を設けることで、緊急車両との干渉を効果的に防止又は抑制できる。制動支援手段は、例えば制動支援時において、ブレーキペダルの踏下反力を通常時よりも増加させる踏下反力制御手段と、ブレーキペダルの踏下量に対するブレーキ圧の増加率を通常時よりも増加させるブレーキ圧制御手段とを有するものとして構成することができる。制動支援時において、ブレーキペダルの踏下量に対するブレーキ圧の増加率を通常時よりも増加させつつ、ブレーキペダルの踏下反力を通常時よりも増加させると、ブレーキ踏下力がほぼ同等であれば、制動支援を特に行なわない場合と比較して、少ない踏下量でほぼ同等の制動効果が得られる。ところが、運転者は、ブレーキペダルの踏下反力が普段よりも大きい分、急ブレーキのために踏み込み量が不足していると感じてさらにブレーキペダルを踏み込もうとする。その結果、制動効果が増強され、緊急車両との干渉回避ないし抑制をより確実に行なうことができる。もちろん、アクセルペダルの踏下量に応じたエンジン出力を通常時よりも制限する処理と併用すれば、さらに効果的であることはいうまでもない。
【００２３】
上記のような認知支援出力や運転誘導により、運転者に緊急車両を優先させるための自発的な運転操作（以下、緊急車両優先運転操作ともいう）を促すことができる。なお、緊急車両優先運転操作を失念している状態で運転者が認知支援出力を受けると、アクセルペダルから足を離す→ブレーキペダルを踏み込む、という一連の動作流れにて緊急車両接近回避操作を行なおうとする。このとき、
Ａ：ブレーキペダルを踏み込む。
Ｂ：ブレーキペダルと間違えてアクセルペダルを踏み込む。
の２つの可能性がある。後者に対応するためには、アクセルペダルの踏下量に応じたエンジン出力を通常時よりも制限する処理を併用することが効果的であり、前者においても、ブレーキペダルの踏下反力を通常時よりも増加させ、かつ、ブレーキペダルの踏下量に対するブレーキ圧の増加率を通常時よりも増加させる処理を併用すると効果的である。
【発明を実施するための最良の形態】
【００２４】
以下、本発明の実施の形態を添付の図面を用いて説明する。図１は、本発明の一実施形態を示す車両用緊急車両接近検出システムの電気的構成の一例を示すブロック図である。該車両用緊急車両接近検出システム１の制御主体をなすのはＥＣＵ２である。ＥＣＵ２は、ＣＰＵ３、ＲＡＭ４、ＲＯＭ５及び入出力インターフェース６とを内部バスにて接続したマイクロプロセッサを主体に構成されている。
【００２５】
入出力インターフェース６には、発進設定方向特定手段ひいてはシフトポジション検出手段をなすシフトポジションセンサ７、アクセルペダル５１の踏下量（踏下角度）を検出するアクセルセンサ８、ブレーキペダル６１の踏下量（踏下角度）を検出するブレーキセンサ９、運転席に着座する運転者の顔を撮影する顔カメラ１０及び該顔の両眼付近を拡大撮影し瞳孔位置により視線方向を特定するための視線カメラ１１が接続されている（ただし、視線カメラ１１は省略してもよい）。アクセルセンサ８は、アクセルペダルの踏下角度を検出する角度センサとして構成されている。また、ブレーキセンサ９もブレーキペダルの踏下角度を検出する角度センサとして構成されている（なお、ブレーキ踏下の有無のみを検出すればよい場合には、テールランプ駆動等に使用するブレーキスイッチを流用してもよい）。
【００２６】
また、入出力インターフェース６には、外部ステレオカメラ１４、外部ステレオマイク１５及びカーナビゲーションシステム１６が接続されている。外部ステレオカメラ１１（１１Ｌ，１１Ｒ）及び外部ステレオマイク１５（１５Ｌ，１５Ｒ）の組は、図３に示す自動車のフロントバンパＦＢＰと、図４に示すリアバンパＲＢＰに、それぞれ左右１対にて都合４個ずつ取り付けられている。
【００２７】
さらに、入出力インターフェース６には、電子スロットル制御装置２１（ドライバー２１ｄ）と燃料噴射制御装置２５（ドライバー２１ｄ）とが接続されている。電子スロットル制御装置２１は、アクセルセンサ８によるアクセルペダル踏下量（アクセル位置）を参照したＥＣＵ２からの開度指示値により、スロットルバルブ２３が指示開度となるように、その駆動モータ２２を作動させる。燃料噴射制御装置２５は、ＥＣＵ２からの指示により、燃料噴射装置のソレノイド噴射バルブ２６の開度を調整する。
【００２８】
さらに、入出力インターフェース６には、緊急車両（消防車、救急車、パトカーなど）の接近に対する認知支援出力を行なう認知支援出力手段（対応出力手段）として次のような種々のデバイスが対応するドライバーを介して接続されている。
・アクセルペダル振動部５３（ドライバー５１ｄ）：アクセルペダル５１に乗っている運転者の足に向け振動を出力する。アクセルペダルに通常では有り得ないような振動を与え、咄嗟にペダルから足を離させる効果を有する。偏心式加振装置などの周知の振動発生器で構成される。このアクセルペダル振動部５３の振動はアクセルペダル５１に伝達されるが、電子スロットル制御装置２１に受け渡されるアクセルセンサ８の角度出力に対しては不感となるように、その周波数ならびに振幅が設定される（アクセルセンサ８の角度出力に振動変位が重畳される場合は、フィルタリング等によりこれを除去してもよい）。
【００２９】
・ブレーキ反力モータ６２（ドライバー６２ｄ）：ブレーキペダル６１の旋回軸に取り付けられ、ブレーキペダル６１に対し踏下方向と逆向きの反力を発生させる。
・シートバイブレータ７１（ドライバー７１ｄ）：運転席シート７２に埋設され、緊急車両接近認知を促すための振動出力を行なう。偏心式加振装置や圧電式加振装置などの周知の振動発生器で構成される。
【００３０】
・メータ８１Ｍ及びモニタ１１０（ドライバー８１ｄ）、ミラー内表示装置８２（ドライバー８２ｄ）、ヘッドアップディスプレイ８３（ドライバー８３ｄ）：緊急車両の認知を促すための表示を行なうことで、注意を喚起する。なお、モニタ１１０はカーナビゲーションシステム１６の表示出力部に兼用される。
【００３１】
インナーミラーとアウターミラーは、例えばハーフミラーとし、ミラー裏面よりＬＥＤ等により表示を行なう。または、透明ＥＬディスプレイをミラー表面に重畳させ、表示を行なってもよい。フロントウィンドウでは、ヘッドアップディスプレイ（透明ＥＬディスプレイでもよい）により緊急車両の認知支援表示を行なう。また、メータ８１Ｍの場合、緊急車両の接近をアイコン表示したり、文字盤や画面全体を赤系統の警告色で点滅させたりすることで、緊急車両接近に対する注意喚起を行なう。メータ８１ＭのバックライトがフルカラーＬＥＤで構成されている場合は、その出力で警告色点灯出力を行なうこともできる。
【００３２】
・スピーカー９１（ドライバー９１ｄ）：緊急車両接近認知を促すための音声出力を行なう。
・匂い発生器９３（ドライバー９３ｄ）：危険を感じ、動作を止める香りを発生する。一瞬に、集中できる匂いを発生する。この場合、空気の流れに乗って香りは伝達されることから、空気砲または気流コントロールとセットで考慮するとよい。
【００３３】
ＲＯＭ５には、車両用緊急車両接近検出システム１の主制御プログラム５ｍと、該主制御プログラム５ｍが使用する種々のエンジンが格納されている。
・緊急車両特定エンジン５ｄ：外部ステレオマイク１５及び外部ステレオカメラ１１の検出信号に基づいて、自車に接近する緊急車両と、その接近方向を特定する（緊急車両接近方向検出手段）。
【００３４】
・視線特定エンジン５ｃ：視線カメラ１１が撮影する運転者の両眼の画像から、周知のアルゴリズムにより視線方向、具体的には車両周囲のどのエリアに視線が向いているかを特定する（視線方向検出手段）。視線カメラ１１を省略する場合は、該エンジンは不要である。
・運転誘導制御エンジン５ｇ：カーナビゲーションシステム１６から地図上の走行路形状と車両現在位置とを取得して、現在位置前方の走行予定路の線形を特定するとともに、特定された走行予定路が道なり形状であるか交差点形状であるかを区別し、さらに、緊急車両特定エンジン５ｄが特定する緊急車両の接近方向に応じて個別に運転誘導内容を決定する（運転誘導内容決定手段）。そして、該誘導内容を、スピーカー９１から音声出力させる制御と、モニタ１１０、ミラー内表示装置８２、あるいはヘッドアップディスプレイ８３等の表示部に表示出力させる制御指令を行なう。
【００３５】
・認知ミス判定エンジン５ｅ：緊急車両特定エンジン５ｄが緊急車両の接近（及びその方向）を検知したとき、運転者の視線方向を考慮して、緊急車両接近に対する認知ミスが発生しているかどうかを判定する。視線カメラ１１を省略する場合は、該エンジンは不要である。
・認知支援出力制御エンジン５ｅ：前述の種々の認知支援出力手段に対し認知支援出力指令を行なう。
【００３６】
図２は、カーナビゲーションシステム１６の構成例を示すブロック図である。該カーナビゲーションシステム１６は、位置検出器１０１、地図データ入力器１０６、操作スイッチ群１０７、リモートコントロール（以下リモコンと称する）センサ１１１、音声案内等のための音声合成回路１２４、音声出力用のスピーカー１１５、不揮発メモリであるフラッシュメモリ１０９、ＬＣＤ等からなるモニタ１１０、これらの接続された主制御部をなす情報系ＥＣＵ５１及び主記憶装置をなすＨＤＤ（ハードディスク装置）１２１等を備えるものである。
【００３７】
位置検出器１０１は、周知の地磁気センサ１０２、ジャイロスコープ１０３、距離センサ１０４、および衛星からの電波に基づいて車両の位置を検出するＧＰＳのためのＧＰＳ受信機１０５を有している。これらのセンサ等１０２，１０３，１０４，１０５は各々が性質の異なる誤差を持っているため、複数のセンサにより各々補完しながら使用するように構成されている。なお、精度によっては前述したうちの一部のセンサで構成してもよく、さらに、ステアリングの回転センサや各転動輪の車輪センサ等を用いてもよい。
【００３８】
操作スイッチ群１０７は、メカニカルなスイッチ等を使用できるが、本実施形態では、モニタ１１０と一体になったタッチパネル１２２を併用しており、モニタ１１０上に表示されるボタン画像に対応するタッチパネル領域を指で触れることにより、操作状態を認識できるようにしている（いわゆるソフトボタン）。これら操作スイッチ群１０７によって、種々の指示を入力することが可能である。
【００３９】
操作スイッチ群１０７の他に、音声認識ユニット１３０を用いて種々の指示を入力することも可能である。これは、音声認識ユニット１３０に接続される前述のマイク１３１（図２参照）から音声を入力することによって、その音声信号を周知の音声認識技術により音声認識処理して、その結果に応じた操作コマンドに変換するものである。
【００４０】
情報系ＥＣＵ５１は、ＣＰＵ１８１、ＲＯＭ１８２、ＲＡＭ１８３、前述のフラッシュメモリ１０９、入出力インターフェース１８４がバス５１５により接続されたマイコンハードウェアを主体とするものである。入出力インターフェース１８４には、位置検出器１０１、地図データ入力器１０６、操作スイッチ群１０７、車車間通信部１０８及びＶＩＣＳ受信部１０９が接続されている。
【００４１】
ＨＤＤ１２１はインターフェース１２９ｆを介してバス接続されている。また、地図やナビ操作画面を表示する描画情報に基づいて、モニタ１１０に画像出力する機能を担う描画ＬＳＩ１８７と、描画処理用のグラフィックメモリ１８７Ｍとが同様にバス接続され、前述のモニタ１１０がこれに接続されている。ＣＰＵ１８１は、フラッシュメモリ１０９に記憶されたナビソフトウェア１０９ａ（被提供情報収集手段）およびデータにより、目的地検索や経路案内に係る制御を行なう。また、ＨＤＤ１２１へのデータの読み書きの制御はＣＰＵ１８１によって行なわれる。
【００４２】
ＨＤＤ１２１には、道路データを含む地図データ２１ｍと、目的地データや目的地の案内情報からなるナビデータ２１ｐとが記憶されている。また、出力履歴データ２１ｄとコンテンツデータ２１ｕも記憶されている。これらのデータは、操作スイッチ群１０７の操作あるいは音声入力によって内容の書き換えが可能である。また、外部情報入出力装置（地図データ入力器）１０６を用いて記憶媒体１２０からデータを読み込んでＨＤＤ１２１の内容を更新することも可能である。なお、本実施形態では、通信インターフェース１２６を介して、情報系ＥＣＵ５１が車内ネットワークをなすシリアル通信バス１２７に接続され、ボデー系ＥＣＵやエンジン制御ＥＣＵ（図示せず）などの、車内の他の制御装置との間でデータの遣り取りを行なうようになっている。また、シリアル通信バス１２７にはインターネット１１７０に接続するための無線送受信部を有した通信ＥＣＵ１９０（無線アクセス手段）が接続されており、更新用の地図データや、その他の情報を受信できるようになっている。
【００４３】
車車間通信部１０８は、自車の周囲に存在する他車両と直接通信を行ない、周囲車両情報（車両位置、走行方向、車種（具体的には、緊急車両であるか否か）、車両サイズ、速度、ブレーキ、アクセルなど）の送受信を行なうように構成されている。また、ＶＩＣＳ受信部１０９は、図示しないＶＩＣＳ（Vehicle  Information  and  Communication  System：道路交通情報通信システム）センタから道路交通情報やＦＭ多重放送を受信するための装置であり、本発明では、緊急車両の位置情報（あるいは走行方向）を取得することを目的とする。
【００４４】
モニタ１１０（被提供情報出力手段）はカラー液晶表示器により構成されており、その画面には位置検出器１０１から入力された車両の現在位置マークと、ＨＤＤ１２１から入力された地図データ２１ｍと、さらに地図上に表示する誘導経路等付加データとを重ね合わせて表示する。また、前述のごとくタッチパネル１２２が重ね合わされており、必要に応じて、目的地設定、表示設定、種々の機能呼び出し、画面切替操作等のための機能ボタンも表示する。
【００４５】
カーナビゲーションシステム１６は、情報系ＥＣＵ５１のＣＰＵ１８１によりナビプログラム２１ｐが起動される。運転者は、操作スイッチ群１０７の操作あるいはマイク１３１からの音声入力によって、目的地データベース２１ｄから所望の目的地を選択する。例えば、モニタ１１０上に表示されるメニューから目的地経路をモニタ１１０に表示させるための経路案内処理を選択した場合、次のような処理を実施する。即ち、運転者がモニタ１１０上の地図あるいは目的地選択画面に基づいて目的地を入力すると、ＧＰＳ受信機１０５から得られる衛星のデータに基づき車両の現在位置が求められ、該現在位置から目的地までの最適な経路を求める処理が行われる。そして、モニタ１１０上の道路地図に誘導経路を重ねて表示し、運転者に適切な経路を案内する。このような自動的に最適な経路を設定する手法は、ダイクストラ法等の手法が知られている。また、モニタ１１０およびスピーカー１１５の少なくとも一方によって、操作時のガイダンスや動作状態に応じたメッセージの報知を行なう。なお、経路案内を行なわない場合は、地図上の走行路を特定し、周知のマップマッチング処理により該走行路上に自車の現在位置を表示・更新する処理を行なう。
【００４６】
以下、車両用緊急車両接近検出システム１の制御の流れを、フローチャートを用いて説明する。図１１は、主制御プログラム５ｍ（図１）の処理の流れを示すものである。まず、Ｓ１００では、車両使用状況に係る現在シーンを推定する。図１２は、該シーン推定処理の流れを示すものであり、Ｓ２０１では、運転席に人が着座したかどうかを顔カメラ１０（図１）により撮影判定する。また、Ｓ２０２では、イグニッションスイッチの操作状態を参照し、車両の現在操作状態を特定する。そして、Ｓ２０３で、現在操作状態が運転状態であるか否かを判定し、運転状態であれば現在シーンを運転シーンとして特定する。
【００４７】
図１１に戻り、Ｓ１０１で現在シーンが運転シーンであればＳ１０２に進み、緊急車両特定処理となる。図１３は、その詳細を示すものである。まず、Ｓ４０１では、外部ステレオマイク１５の入力波形を規定時間（例えば０．１秒〜１秒）だけサンプリングし、さらにＳ４０２でフーリエ変換処理を行なって波形スペクトルプロファイルを得る。図３及び図４に示すように、外部ステレオマイク１５は、車両の前左右に１対（１５ＦＲ，１５ＦＬ）及び後左右に１対（１５ＲＲ，１５ＲＬ）の計４つが設けられているが、緊急車両の接近によりサイレン音が入力されると、車両に対する音源の接近方向により音量や位相は異なるものの、各マイクとも共通の特徴を有した入力波形となる。この段階では、緊急車両の接近方向は不明であり、どのマイクの入力音量が最大化も不明であるから、Ｓ４０３では、個別のマイク入力波のスペクトラムを保存しつつ、上記４つのスペクトラムを加算合成して合成入力波スペクトルを演算する。
【００４８】
そして、種々の参照サイレン音のスペクトルデータを図１のＲＯＭ５等に予め記憶しておき、入力波スペクトルをそれら参照スペクトルデータと照合する。図５に示すように、参照サイレン音のスペクトル（以下、参照スペクトルという）には、個々のスペクトルの主要素波成分を特徴付ける複数の周波数ピークが特徴点として存在し、入力波スペクトル中において、参照スペクトルの各特徴点と同じ周波数域に、それぞれ対応する特徴点が存在するか否か（Ｓ４０５）、かつ、各特徴点間のピーク高さ比が一致するか否か（Ｓ４０５）により、入力波にサイレン音の成分が存在しているかどうか、つまり、参照サイレン音のそれかとスペクトルが一致したか否か、を判定する（Ｓ４０６）。一致と判定された場合はＳ４０７に進み、各マイクの入力波スペクトルにおいて、予め定められた代表特徴点（例えば、特徴点を示す複数の周波数ピークの打ち、最も強度の高いもの）のピーク高さを演算する。そして、Ｓ４０８にて、少なくともいずれかのマイクの入力スペクトルにおいて、その代表特徴点ピーク高さが予め定められた閾値（規定レベル）を超えていれば、緊急車両が接近中であると判定してＳ４０９に進む。それ以外の場合は処理を終了する。
【００４９】
Ｓ４０９では、各マイクの入力波スペクトルの代表特徴点ピーク高さをそれぞれ演算し、Ｓ４１０その結果からサイレン音の音源方向（つまり、緊急車両の接近方向）を特定する。図６に示すように、前右、前左、後右、後左の各マイクの代表特徴点ピーク高さを、それぞれＩＦＲ，ＩＦＬ，ＩＲＲ，ＩＲＬとする。車両の走行方向を基準として、前後方向をＹ、左右方向をＸと定めれば、緊急車両の接近方向に応じて各代表特徴点ピーク高さＩＦＲ，ＩＦＬ，ＩＲＲ，ＩＲＬ間には次のような関係が成立すると考えられる。
（Ａ）Ｙ方向真正面からサイレン音が近づいてくる場合：ＩＦＲ＝ＩＦＬ（＞ＩＲＲ，ＩＲＬ）
（Ｂ）Ｙ方向真後ろからサイレン音が近づいてくる場合：ＩＲＲ＝ＩＲＬ（＞ＩＦＲ，ＩＦＬ）
（Ｃ）Ｘ方向真右からサイレン音が近づいてくる場合：ＩＦＲ＝ＩＲＲ（＞ＩＦＬ，ＩＲＬ）
（Ｄ）Ｘ方向真右からサイレン音が近づいてくる場合：ＩＦＬ＝ＩＲＬ（＞ＩＦＲ，ＩＲＲ）
【００５０】
そこで、図６に示すように、Ｘ−Ｙ平面上にて自車位置をその原点に合わせ、各代表特徴点ピーク高さを、（１）〜（４）の関係を満足する次の４つの音量ベクトルに対応させる。
ＳＦＲ＝（ＩＦＲ，ＩＦＲ）
ＳＦＬ＝（−ＩＦＬ，ＩＦＬ）
ＳＲＬ＝（−ＩＲＬ，−ＩＲＬ）
ＳＲＲ＝（ＩＲＲ，−ＩＲＲ）
すると、サイレン音（緊急車両）の推定接近方向は、上記４つの音量ベクトルのベクトル和ＳＮの方向、すなわち、
ＳＮ＝ＳＦＲ＋ＳＦＬ＋ＳＲＬ＋ＳＲＲ
＝（ＩＦＲ−ＩＦＬ−ＩＲＬＩＲＲ，ＩＦＲ＋ＩＦＬ−ＩＲＬＩＲＲ）≡（ＩＮＸ，ＩＮＹ）
の方向として求めることができる。原点周りに動径がＸ軸と一致する角度を０゜として定義すれば、緊急車両の接近方向を示す角度θは、
θ＝Ｔａｎ−１（ＩＮＹ／ＩＮＸ）  ‥（１）
として演算される。この場合、ＩＦＲ，ＩＦＬ，ＩＲＲ，ＩＲＬの最大のものがどれであるかにより特定でき、図６のＸ−Ｙ座標平面の第１／第２象限にＳＮが位置する場合（つまり、ＩＮＹ＞０の場合）は、（１）式の演算結果をθの値としてそのまま用い、第３／第４象限にＳＮが位置する場合（つまり、ＩＮＹ＜０の場合）は、（１）式の演算結果に１８０゜を加算した値をθの値として用いる。
【００５１】
なお、緊急車両が接近中であることをより精密に判定するために、一定のサンプリング時間間隔をおいて２回ないしそれ以上、入力波をサンプリングして上記と同様のスペクトル解析を行なうこともできる。この場合、それぞれ同一のサイレン音が検出され、かつ、代表特徴点ピーク高さが、後でサンプリングされるものほど高くなる場合に、緊急車両が接近中であると特定する。
【００５２】
また、マイクの数及び配設位置は図３及び図４に例示したものに限定されず、例えば、車両前後の各車幅方向中央位置、及び車両左右側面の車長方向中央位置に配設してもよいし、これらと図３，４に例示した態様とを組合せ、６個ないし８個のマイクを配設することも可能である。この場合も、個々のマイクのスペクトル上で特定される代表特徴点ピーク高さを、Ｘ−Ｙ平面上の音量ベクトルに置き換え、該音量ベクトルのベクトル和を演算することにより、サイレン音の音源方向を特定できる。
【００５３】
さらに、車両周囲の三次元撮影を行なう外部ステレオカメラ１４により、自動車の前後に存在する緊急車両の接近方向（距離を特定してもよい）を画像情報から特定するようにしてもよいステレオカメラ１４を用いた緊急車両特の定方法は、特許文献９〜１２に開示されている技術を流用すれば実現可能である。このとき、緊急車両の接近方向を特定する主体はあくまで外部ステレオマイク１５とし、外部ステレオマイク１５による方向特定の精度が十分に確保できなかった場合に、補助的にステレオカメラ１４を用いることも可能である。
【００５４】
また、車両現在位置よりも前方に位置する走行予定路の線形情報をカーナビゲーションシステム１６から取得し、これを参照することで、緊急車両の接近方向の特定精度をより向上できる場合がある。例えは、図１７に示すように、走行予定路が道なり形状の場合は、道路横方向（左右いずれか）から緊急車両が接近してくることはありえない。従って、横方向からのサイレン音が検出されたとき、走行予定路が道なり形状であれば、緊急車両非接近と修正判定することができる。他方、図１８に示すように、走行予定路が交差点形状であれば、該交差点にちょうど差し係るタイミングで、見通しの悪い左右（横）いずれかの方向から緊急車両が接近してくることは逆に多々発生する可能性がある。従って、一定未満の弱レベルでサイレン音が検出されたときも、カーナビゲーションシステム１６からの情報により交差点へ接近中であることが特定され、かつ、サイレン音の検出方向が斜め前方向であれば、該交差点へ接近中の緊急車両のサイレン音を検出している可能性が高く、緊急車両接近と修正判定することができる。
【００５５】
図１１に戻り、Ｓ１０３で緊急車両接近中であればＳ１０４に進み、運転者がこれを認知可能な状態になっているか否かを判定する処理を行なう。その詳細を図１４に示す。Ｓ３０１では、運手者の視線方向を視線カメラ１１の撮影結果に基づいて特定する。図７に示すように、フロントウィンドウＦＷ上及びサイドウィンドウＳＷ上の領域を見込む向きに視線方向ＥＤが現れていれば、運転者の視線が車両の前方エリアと側方（左右）エリアに向けられていると判定できる。他方、バックミラーＢＭを見込む向きに視線方向ＥＤが現れていれば、運転者の視線が車両の直後方に向けられていると判定できる。さらに、サイドミラーＳＭを見込む向きに視線方向ＥＤが現れていれば、運転者の視線が車両の左右斜め後方に向けられていると判定できる。
【００５６】
Ｓ３０２では、運転者が図７の特定エリア（方向）を注視するに伴い視線方向ＥＤの位置変動が一定レベル未満となる特定エリア視線滞在時間を計測し、該滞在時間が一定時間以上となる視線方向ＥＤを、運転者の現在の注視方向として特定する。Ｓ３０４では、緊急車両の接近方向周辺の一定領域内に運転者の注視方向が入っていれば緊急車両への注意があり、逆に入っていなければ緊急車両への注意がないと判断する。
【００５７】
図１１に戻り、Ｓ１０５で、緊急車両への注意がないと判断された場合はＳ１０６に進み、緊急車両の認知支援出力ないし運転誘導出力を行なう。認知支援出力として最も簡単なものは、図１５に示すように、緊急車両が接近してくることを、モニタ１００Ｎに報知メッセージを文字表示したり、あるいは図１６に示すように音声出力する方式である。音声出力の場合は、報知メッセージ（「緊急車両です」）の出力に先立って、アラーム音（「ＰＯＯＮ」）を出力すれば注意を促す効果が高められる。
【００５８】
また、上記の報知メッセージ出力を主体とした基本認知支援出力に対し、以下のものから選ばれる１ないし２以上の強調認知支援出力を組み合わせて実施することも効果的である。
・緊急車両接近時は徐行を促すことが効果的だから、図１のアクセルペダル振動部５３によりアクセルペダル５１に乗っている運転者の足に向け振動を出力する。アクセルペダルに通常では有り得ないような振動を与え、咄嗟にペダルから足を離させる効果を有する。
・運転席シート７２に埋設されたシートバイブレータ７１（ドライバー７１ｄ）に、緊急車両接近認知を促すための振動出力を行なわせる。
・メータ８１Ｍ、ミラー内表示装置８２、ヘッドアップディスプレイ８３の少なくともいずれかに、赤や黄色などの警告色の光を出力させ、注意を喚起する。また、バックミラーとサイドミラーを、例えばハーフミラーとし、ミラー裏面よりＬＥＤ等により警告点灯表示を行なう。透明ＥＬディスプレイをミラー表面に重畳させ、表示を行なってもよい。フロントウィンドウでは、ヘッドアップディスプレイ（透明ＥＬディスプレイでもよい）により緊急車両の認知支援表示を行なう。また、メータ８１Ｍの場合、緊急車両の接近をアイコン表示したり、文字盤や画面全体を赤系統の警告色で点滅させることで、緊急車両接近に対する注意喚起を行なう。メータ８１ＭのバックライトがフルカラーＬＥＤで構成されている場合は、その出力で警告色点灯出力を行なうこともできる。
・匂い発生器９３から、危険を感じ、動作を止める香りを発生する。一瞬に、集中できる匂いを発生する。この場合、空気の流れに乗って香りは伝達されることから、空気砲または気流コントロールとセットで考慮するとよい。
【００５９】
なお、視線方向により緊急車両への注意が十分あると判定される場合は、緊急車両の接近中であっても認知支援出力を敢えて行なわないようにすることで、Ｓ３０４で緊急車両への注意がないと判断された場合を受けてＳ１０６で実行される特有の認知支援出力がより目立つように、メリハリを持たせることが効果的である。ただち、緊急車両への注意が十分ある場合においても、バックグラウンド認知支援出力としては次のような処理形態が可能である。
・図１のマイク１５で取り込んだ車外音に緊急車両のサイレン音が含まれていた場合、これを増幅してスピーカー９１から車内に出力する。また、車外音の増幅出力に代え、合成サイレン音をスピーカー９１から出力するようにしてもよい。
・Ｓ１０６で実行される特有の認知支援出力にて、基本認知支援出力と併用されていた前述の強調認知支援出力を、バックグラウンド認知支援出力においては休止する。
【００６０】
他方、視線方向検知による緊急車両への注意判定を行なわない場合は、運転者の注意状態によらず常時認知支援出力を行なうように構成することも可能であるし、逆に、上記内容の認知支援出力の一部又は全てを行なわないようにし、代わって、以下に説明する運転誘導処理を行なうように構成することもできる。
【００６１】
以下、運転誘導出力処理の実例について説明する。前述のごとく、カーナビゲーションシステム１６からは、車両現在位置よりも前方に位置する走行予定路の線形情報を取得できる。そして、この走行予定路が、道なり形状であるか交差点形状であるかを区別した形で運転誘導内容を定めることができる。運転誘導は、図１９〜図２３に示すように、基本的にはスピーカー９１から誘導メッセージを音声出力することにより行なうが、ヘッドアップディスプレイＨＵＤを利用した文字画像出力を併用してもよい。
【００６２】
以下、運転誘導の具体的な処理流れについて図２４のフローチャートを用いて説明する。該処理は、図１１のＳ１０６にて実施されるものである。Ｓ５０１では、走行予定路が道なり形状か交差点形状かを判定する。道なり形状の場合はＳ５０２に進み、既に特定されている緊急車両の接近方向が前方か後方かを判定する（横方向の場合は、図示はしていないが処理を終了する）。前方の場合はＳ５０３に進み、図１９のごとく、前方からの緊急車両の接近報知メッセージを出力する。なお、徐行を促す運転誘導メッセージを出力してもよい。
【００６３】
次に、Ｓ５０２において、緊急車両の接近方向が後方の場合はＳ５０４に進み、前方を撮影するカメラ１５の撮影画像か、カーナビゲーションシステム１６の地図情報を参照することにより、走行中の道路のレーン数を周知の方法にて特定する。レーン数が２以上のときはＳ５０５に進み、接近中の緊急車両の走行レーンが、自車の走行レーンと同じかどうかを判定する。自車の走行レーンと同じでなければＳ５０３に進み、後方からの緊急車両の接近報知メッセージの出力のみを行なう（認知支援出力：徐行を促す運転誘導メッセージを出力してもよい）。一方、自車の走行レーンと同じであった場合は、図２０に示すように、後方からの緊急車両の接近報知メッセージを出力するとともに、レーン変更により緊急車両に進路を譲る運転誘導メッセージを出力する。
【００６４】
次に、Ｓ５０４にてレーン数が１のときはＳ５０７に進み、図２１に示すように、後方からの緊急車両の接近報知メッセージを出力するとともに、路肩側への幅寄せ（左側通行の場合は左端寄せ、右側通行の場合は右端寄せ）により、緊急車両に進路を譲る運転誘導メッセージを出力する。
【００６５】
Ｓ５０１に戻り、走行予定路が交差点形状の場合はＳ５０９に進み、既に特定されている緊急車両の接近方向が前方、後方及び横方向のいずれであるかを判定する。前方の場合はＳ５１０に進み、図１８に示すように、対向車両として接近してくる緊急車両ＡＢのウインカーＷＫの点灯を、カメラ１５の撮影画像等から特定する。そのウインカーＷＫの点灯から、緊急車両ＡＢが右折してくると判定された場合はＳ５１１に進み、図２２のごとく、前方からの緊急車両が右折してくる内容の接近報知メッセージを出力するとともに（認知支援出力）、交差点への進入禁止あるいは一旦停止を促す運転誘導メッセージを出力する。他方、緊急車両が右折しないと判定された場合はＳ５１３に進み、徐行運転を促す運転誘導メッセージを出力する。
【００６６】
次に、Ｓ５０９において、緊急車両の接近方向が後方の場合はＳ５１４に進み、走行中の道路のレーン数を周知の方法にて特定する。該Ｓ５１４以下、Ｓ５１５、Ｓ５１６、Ｓ５１７及びＳ５１８の処理は、Ｓ５０４、Ｓ５０５、Ｓ５０３、Ｓ５０６及びＳ５０７の各処理と同じである。
【００６７】
そして、Ｓ５０９において、緊急車両の接近方向が横方向（左右）の場合はＳ５１９に進み、図２３のごとく、右（左）から緊急車両が交差点内に入る内容の接近報知メッセージを出力するとともに（認知支援出力）、交差点への進入禁止あるいは一旦停止を促す運転誘導メッセージを出力する。
【００６８】
なお、Ｓ５１１あるいはＳ５１１のごとく、交差点内への進入を制限する運転誘導内容を行なった場合、これに引き続いて、自車の加速（走行）を抑制する走行抑制制御、あるいは制動を支援する制動支援制御を行なうことができる（Ｓ５１２、Ｓ５２０）。
【００６９】
走行抑制制御は、例えば次のようにして実施できる。まず、図１の電子スロットル制御装置２１は、アクセルセンサ８によるアクセルペダル踏下量（アクセル位置）に応じた開度指示値を受け、スロットルバルブ２３が指示開度となるように、駆動モータ２２を作動制御する。図８に示すように、アクセル位置に応じてスロットル開度は破線のように変化するが、走行抑制処理時には、実線で示すごとく、アクセル位置に応じたスロットル開度の増加率を上記通常時よりも縮小し、アクセルを踏み込んでもスロットルバルブが大きく開かないようにする。なお、図８では、走行抑制処理時においても微動発進は可能となるよう、アクセルペダルを踏み込んだとき、通常時よりは小さい開度にてスロットルバルブが開くように制御しているが、自動車が全く進まなくなるように、走行抑制処理時においてはアクセルペダルの踏下量と無関係にスロットルバルブの開度がゼロとなるように制御してもよい。
【００７０】
また、燃料噴射制御装置２５による走行抑制制御を行なうことも可能である。具体的には、走行抑制制御時には、ソレノイド噴射バルブの開度を通常時よりも縮小し、アクセルを踏み込んだときの燃料噴射を禁止又は噴射量を低くする。なお、緊急車両接近予防時に走行抑制手段として機能させるのは、電子スロットル制御装置２１と燃料噴射制御装置２５との双方としても良いし、電子スロットル制御装置２１のみ、あるいは燃料噴射制御装置２５のみとすることも可能である。
【００７１】
次に、制動支援制御は、例えば次のようにして実施できる。すなわち、ブレーキペダル６１に対する踏下反力は、通常時はペダルバックアップスプリング６１ｓにより発生するが、緊急車両接近予防時にはブレーキ反力モータ６２を作動させ、ブレーキペダル６１の踏下反力を通常時よりも増加させる（踏下反力制御手段）。また、これと合わせ、ＥＣＵ２は、ブレーキペダル６１の踏下量に対するブレーキ圧の増加率を通常時よりも増加させるよう、ブレーキ圧指示値を変更する（ブレーキ圧制御手段）。
【００７２】
ブレーキペダル６１の踏下量に対するブレーキ圧の増加率を通常時よりも増加させつつ、ブレーキペダル６１の踏下反力を通常時よりも増加させると、ブレーキ踏下力がほぼ同等であれば、制動支援を特に行なわない場合と比較して、少ない踏下量で通常時に近い制動効果が得られる。ところが、ブレーキペダル６１の踏下反力が普段より大きくなっているので踏み込み不足の違和感を生じ、運転者はブレーキペダル６１をさらに踏み込もうとする。その結果、ブレーキ圧が上昇し制動支援効果が得られる。
【００７３】
理解を容易にするために、図９に示すように、ブレーキ位置θ１，θ２，‥に対して、ブレーキ圧指示値が通常時はπ１，π２，‥となるように設定されているところ、制動支援時には、同じブレーキθ１，θ２，‥に対して、ブレーキ圧指示値が通常時の２倍の２π１，２π２，‥に設定されているとする。また、ブレーキ位置θ１，θ２，‥に対するブレーキ反力の値も通常時の２倍になっているとする（つまり、制動支援時のブレーキ圧指示値の拡大倍率がブレーキ反力の拡大倍率と等しくなっている）。
【００７４】
図１０に示すごとく、ある踏力ｆ０でブレーキペダルを踏下した場合の、通常時（つまり、ブレーキ反力モータ６２による反力増加なし：実線）のブレーキ位置をθＡとし、このときのブレーキ圧指示値をπ０とする。他方、上記のパラメータ設定で制動支援を行なう場合、反力が増加しているので破線のごとく踏力ｆに対するブレーキ位置θの増加率が半分に縮小し、他方、ブレーキ位置θに対するブレーキ圧の増加率は倍に拡大している。従って、同じ踏力ｆ０でのブレーキ位置は半分のθＢとなるが、ブレーキ圧の増加率拡大により相殺され、ブレーキ圧指示値は同じπ０となる。しかし、運転者は、普段と同じ力でブレーキペダルを踏んでいるのにペダルが下がらず、これを踏み込み不足と感じする。そこで、いつもの踏み込み量に近づくよう踏力をｆ１に増加させる（一点鎖線）。その結果、ブレーキ位置はθＢからθＣに増加し、ブレーキ圧指示値もπ１に増加する。
【００７５】
なお、制動支援処理として、反力拡大処理を行なわず、ブレーキ位置に対するブレーキ圧指示値の拡大のみを行なうことも可能である。しかし、この場合は制動支援時において通常の踏下力でブレーキ圧が急激に増大することになり、過剰制動につながる懸念もある。他方、上記のように反力拡大処理を行なえば、通常の踏下力ではブレーキの効きにそれほど変化が生じず、踏み込み不足を感じてそこからブレーキを増し踏みする形になるので、制動力も段階的に増加し、過剰制動を抑制できる利点がある。
【００７６】
なお、上記の走行抑制処理及び制動支援処理は、一方又は両方を省略してもよい。
【図面の簡単な説明】
【００７７】
【図１】本発明の車両用緊急車両接近検出システムに係る一実施例の電気的構成を示すブロック図。
【図２】図１の車両用緊急車両接近検出システムに組み込まれたカーナビゲーションシステムの電気的構成を示すブロック図。
【図３】フロントバンパのセンサ取付形態を示す斜視図。
【図４】リアバンパのセンサ取付形態を示す斜視図。
【図５】不注意により緊急車両と衝突するシーンの一例を示す図。
【図６】マイクの音量から緊急車両の接近方向を計算する原理説明図。
【図７】車両前方及び車両側方の視線特定状況を説明する図。
【図８】スロットル開度制限により走行抑制を行なう事例を示す説明図。
【図９】制動支援処理の第一の説明図。
【図１０】同じく第二の説明図。
【図１１】車両用緊急車両接近検出システムの主処理の流れを示すフローチャート。
【図１２】シーン推定処理の流れを示すフローチャート。
【図１３】緊急車両特定処理の流れを示すフローチャート。
【図１４】状態推定処理の流れを示すフローチャート。
【図１５】表示による認知支援出力の一例を示す図。
【図１６】音声による認知支援出力の一例を示す図。
【図１７】道なり路走行時の緊急車両との遭遇形態を示す模式図。
【図１８】交差点接近時の緊急車両との遭遇形態を示す模式図。
【図１９】音声のみによる運転誘導出力の一例を示す図。
【図２０】表示と音声とを組み合わせた運転誘導出力の第一例を示す図。
【図２１】同じく第二例を示す図。
【図２２】同じく第三例を示す図。
【図２３】同じく第四例を示す図。
【図２４】走行路形状に応じて運転誘導出力内容を決定する処理の流れを示すフローチャート。
【符号の説明】
【００７８】
１  車両用緊急車両接近検出システム
２  ＥＣＵ（運転誘導内容決定手段）
１１  視線カメラ（視線方向検出手段）
１４  外部ステレオカメラ（緊急車両接近方向検出手段）
１５  外部ステレオマイク（緊急車両接近方向検出手段）
１６  カーナビゲーションシステム（走行路形状推定手段）
２１  電子スロットル制御装置（走行抑制手段）
２３  スロットルバルブ
５１  アクセルペダル
５３  アクセルペダル振動部（対応出力手段）
６１  ブレーキペダル
６２  ブレーキ反力モータ（制動支援手段、踏下反力制御手段）
７１  シートバイブレータ（対応出力手段）
９１  スピーカー（対応出力手段）
９３  匂い発生器（対応出力手段）
１１０  モニタ（対応出力手段）
ＭＣ  自車
ＡＢ  緊急車両
【図１】
2010067165.tif 000003
【図２】
2010067165.tif 000004
【図３】
2010067165.tif 000005
【図４】
2010067165.tif 000006
【図５】
2010067165.tif 000007
【図６】
2010067165.tif 000008
【図７】
2010067165.tif 000009
【図８】
2010067165.tif 000010
【図９】
2010067165.tif 000011
【図１０】
2010067165.tif 000012
【図１１】
2010067165.tif 000013
【図１２】
2010067165.tif 000014
【図１３】
2010067165.tif 000015
【図１４】
2010067165.tif 000016
【図１５】
2010067165.tif 000017
【図１６】
2010067165.tif 000018
【図１７】
2010067165.tif 000019
【図１８】
2010067165.tif 000020
【図１９】
2010067165.tif 000021
【図２０】
2010067165.tif 000022
【図２１】
2010067165.tif 000023
【図２２】
2010067165.tif 000024
【図２３】
2010067165.tif 000025
【図２４】
2010067165.tif 000026